(57)【特許請求の範囲】
【請求項１】
方形状の障子枠の一方面側に第１組子を固定する第１組子固定工程と、
表裏両側に障子紙を貼着した第２組子を前記障子枠の中央に嵌め込む第２組子嵌込工程と、
第３組子を前記障子枠の他方面側に固定する第３組子固定工程と、
前記第１、第３組子の露出する各格子面に障子紙を貼着する障子紙貼着工程とからなる断熱障子戸の製造方法。
【請求項２】
上桟、下桟、および竪桟を長方形に組み付け中央に中桟を入れて上下に区画した障子枠の一方面側の上下の区画に、横子と竪子とを格子状に組み付けた第１組子を固定する第１組子固定工程と、
横子と竪子とを格子状に組み付けた格子体の表裏両側に障子紙を貼着した第２組子を障子枠中央の上下の区画に嵌め込む第２組子嵌込工程と、
前記障子枠の他方面側の上下の区画に、横子と竪子とを格子状に組み付けた第３組子を固定する第３組子固定工程と、
前記第１組子の露出する上下の区画の格子面および前記第３組子の露出する上下の区画の格子面に障子紙を貼着する障子紙貼着工程とからなる断熱障子戸の製造方法。
【発明の詳細な説明】
【技術分野】
【０００１】
本発明は、断熱性に優れた断熱障子戸の製造方法に関する。
【背景技術】
【０００２】
障子戸は、木造家屋の部屋間を仕切るのに好適である。
特許文献１には、外周枠を削り込んでのりしろを作ることにより、障子枠の、室外側平面と室内側平面とに障子紙を二重張りできる様にした障子が記載されている。
【先行技術文献】
【特許文献】
【０００３】
【特許文献１】特開２００７−１９８１０７号公報
【発明の概要】
【発明が解決しようとする課題】
【０００４】
上記特許文献１は、下記の課題を有する。
特許文献１の二重張り障子は、一重張りの障子に比べて断熱効果が高いが、断熱効果が未だ不十分である。
外周枠を削り込んでのりしろを作る必要が有り手間がかかる。
本発明の目的は、断熱効果が高く、見栄えが良い断熱障子戸の製造方法の提供にある。
【課題を解決するための手段】
【０００５】
（請求項１について）
断熱障子戸は、以下の様にして製造する。
方形状の障子枠の一方面側に第１組子を固定する（第１組子固定工程）。
表裏両側に障子紙を貼着した第２組子を障子枠の中央に嵌め込む（第２組子嵌込工程）。
第３組子を障子枠の他方面側に固定する（第３組子固定工程）。
第１、第３組子の露出する各格子面に障子紙を貼着する（障子紙貼着工程）。
【０００６】
請求項１の断熱障子戸の製造方法は、一方面側に第１組子を固定した障子枠内に、表裏両側に障子紙を貼着した第２組子を嵌め込み、他方面側に第３組子を固定して第２組子を間に挟み込んでいるので、第２組子の障子紙の一部を破ることなく第３組子を障子枠に固定することができる。
【０００７】
請求項１の断熱障子戸の製造方法により製造した断熱障子戸は、表裏両面に貼着した障子紙で囲まれた第２組子内の空気層と、露出する格子面に貼着した第１組子の障子紙と表側の格子面に貼着した第２組子の障子紙との間の空気層と、露出する格子面に貼着した第３組子の障子紙と裏側の格子面に貼着した第２組子の障子紙との間の空気層とにより熱が遮断され断熱効果に優れる。
【０００８】
（請求項２について）
断熱障子戸は、以下の様にして製造する。
上桟、下桟、および竪桟を長方形に組み付け中央に中桟を入れて上下に区画した障子枠の一方面側の上下の区画に、横子と竪子とを格子状に組み付けた第１組子を固定する（第１組子固定工程）。
【０００９】
横子と竪子とを格子状に組み付けた格子体の表裏両側に障子紙を貼着した第２組子を障子枠中央の上下の区画に嵌め込む（第２組子嵌込工程）。
障子枠の他方面側の上下の区画に、横子と竪子とを格子状に組み付けた第３組子を固定する（第３組子固定工程）。
【００１０】
第１組子の露出する上下の区画の格子面および第３組子の露出する上下の区画の格子面に障子紙を貼着する（障子紙貼着工程）。
【００１１】
請求項２の断熱障子戸の製造方法は、障子枠の一方面側（上下の区画）に第１組子を固定し、格子体の表裏両側に障子紙を貼着した第２組子を障子枠内に嵌め込み（上下の区画）、障子枠の他方面側（上下の区画）に第３組子を固定する方法であるので、第３組子を固定する際に第２組子の障子紙の一部を破る必要がない。
【００１２】
障子枠は、上桟、下桟、および竪桟を長方形に組み付け、中央に中桟を入れて上下に区画しているので、第１、第２、第３組子が細長形状にならない。このため、障子枠内へ第２組子を嵌め込んだり、第１、第３組子を障子枠内へ固定する際に応力が加わっても変形が少なく、破損し難い。
また、第２組子を障子枠内へ嵌め込む際に変形が少ないので、貼着した障子紙の破れを防止できる。さらに、第１、第３組子を障子枠内へ固定する際に変形が少ないので、障子紙を貼着し易い。
【００１３】
請求項２の断熱障子戸の製造方法により製造した断熱障子戸は、格子体の表裏両側に障子紙が貼着され、障子枠の上下の区画に嵌め込まれた第２組子内の空気層と、障子枠の一方面側の上下の区画に固定した第１組子の障子紙と格子体の表面に貼着した第２組子の障子紙との間の空気層と、障子枠の他方面側の上下の区画に固定した第３組子の障子紙と格子体の裏面に貼着した第２組子の障子紙との間の空気層（合計三層）とを有するので、熱が遮断され断熱効果に優れる。
【図面の簡単な説明】
【００１４】
【図１】（ａ）〜（ｃ）は、本発明の実施例１に係る断熱障子戸の製造工程（第１組子固定工程）を示す説明図である。
【図２】（ａ）、（ｂ）は、本発明の実施例１に係る断熱障子戸の製造工程（第２組子嵌込工程）を示す説明図である。
【図３】（ａ）〜（ｃ）は、本発明の実施例１に係る断熱障子戸の製造工程（第３組子固定工程）を示す説明図である。
【図４】（ａ）は第１組子の拡大図、（ｂ）は第２組子の説明図である。
【図５】（ａ）〜（ｄ）は、本発明の実施例１に係る断熱障子戸の製造工程（障子紙貼着工程）を示す説明図である。
【図６】（ａ）は図５（ｄ）のｂ−ｂ断面図、（ｂ）は図５（ｄ）のａ−ａ断面図である。
【実施例１】
【００１５】
本発明の実施例１（請求項１、２に対応）に係る断熱障子戸Ａを図１〜図６に基づいて説明する。
断熱障子戸Ａは、中桟１０で上下に区画した障子枠１と、障子枠１の一方面側１４の上下に固定される第１組子２と、障子枠１の中央の上下に嵌め込まれる第２組子３と、障子枠１の他方面側１７の上下に固定される第３組子４と、第１組子２に貼着される障子紙５１と、第３組子４に貼着される障子紙５２と、第２組子３に貼着される障子紙５３、５４とを備える｛図５の（ｄ）、図６参照｝。
【００１６】
障子枠１は、上桟１１、下桟１２、および竪桟１３を長方形に組み付けてなり、中央に中桟１０を入れて形成されている｛図１の（ａ）参照｝。
第１組子２は、横子２１と竪子２２とを格子状に組み付けてなり、障子枠１の一方面側１４の上区画１５および下区画１６に固定されている｛図１の（ａ）、図４の（ａ）参照｝。また、障子紙５１は、第１組子２の格子面に貼着されている。
【００１７】
第２組子３は、横子３１と竪子３２とを格子状に組み付けた格子体３０の表裏両側に障子紙５３、５４を貼着してなり、障子枠１の中央の上区画１５および下区画１６に嵌め込まれている。
【００１８】
第３組子４は、横子４１と竪子４２とを格子状に組み付けてなり、障子枠１の他方面側１７の上区画１５および下区画１６に固定されている。また、障子紙５２は、第３組子４の格子面に貼着されている｛図３の（ａ）、図６参照｝。
【００１９】
つぎに、断熱障子戸Ａは、以下の工程を経て製造される。
（第１組子固定工程）
上桟１１、下桟１２、および竪桟１３を長方形に組み付け、中央に中桟１０を入れて上下に区画した障子枠１を製造する｛図１の（ａ）参照｝。
【００２０】
障子枠１の一方面側１４の上区画１５および下区画１６に、横子２１と竪子２２とを格子状に組み付けた第１組子２を嵌め込み、複数のビスｓを組子内側から捩じ込んで桟へ固定する（図１参照）。
なお、第１組子２の障子枠１への固定は、障子枠１を作業台に載置した状態、一方面側１４を前側にして障子枠１を立設した状態、または、他方面側１７を前側にして障子枠１を立設した状態で行う。
【００２１】
（第２組子嵌込工程）
横子３１と竪子３２とを格子状に組み付けた格子体３０の表裏両側に障子紙５３、５４を貼着した第２組子３を製造しておく｛図４の（ｂ）参照｝。
この第２組子３を、一点鎖線で示す様に、障子枠１の中央の上区画１５および下区画１６に嵌め込む（図２参照）。
【００２２】
（第３組子固定工程）
障子枠１の他方面側１７の上区画１５および下区画１６に、横子４１と竪子４２とを格子状に組み付けた第３組子４を嵌め込み、複数のビスｓを組子内側から捩じ込んで桟へ固定する（図３参照）。
【００２３】
（障子紙貼着工程）
障子枠１の他方面側１７の上区画１５および下区画１６に固定されている第３組子４の格子面に障子紙５２を貼着し、障子枠１を反転させて、障子枠１の一方面側１４の上区画１５および下区画１６に固定されている第１組子２の格子面に障子紙５１を貼着する（図５参照）。
【００２４】
実施例１の断熱障子戸Ａは、以下の利点を有する。
断熱障子戸Ａは、図６の（ａ）に示す様に、三層の空気層（障子紙５２−障子紙５３による空気層６１、障子紙５３−障子紙５４による空気層６２、障子紙５４−障子紙５１による空気層６３）を有するので、熱が遮断され断熱効果に優れる。
【００２５】
断熱障子戸Ａは、障子枠１内に、第３組子４、第２組子３、第１組子２を積層状態に配設しているので、障子枠１が著しく幅広にならない。
このため、断熱障子戸Ａの取り付けに従来の障子レールが使え、見栄えが良い。
【００２６】
断熱障子戸Ａの製造方法は、障子枠１の一方面側１４（上区画１５、下区画１６）に第１組子２を固定し、格子体３０の表裏両側に障子紙５３、５４を貼着した第２組子３を障子枠１内に嵌め込み（上区画１５、下区画１６）、障子枠１の他方面側１７（上区画１５、下区画１６）に第３組子４を固定する方法であるので、第３組子４を固定する際に第２組子３の障子紙５３、５４の一部を破る必要がない。
【００２７】
断熱障子戸Ａの障子枠１は、上桟１１、下桟１２、および竪桟１３を長方形に組み付け、中央に中桟１０を入れて上下に区画しているので、第１組子２、第２組子３、第３組子４が細長形状にならない。このため、障子枠１内へ第２組子３を嵌め込んだり、第１組子２、第３組子４を障子枠１内へ固定する際に応力が加わっても変形が少なく、破損し難い。
また、第２組子３を障子枠１内へ嵌め込む際に変形が少ないので、貼着した障子紙５３、５４の破れを防止できる。さらに、第１組子２、第３組子４を障子枠１内へ固定する際に変形が少ないので、障子紙５１、５２を貼着し易い。
【００２８】
断熱障子戸Ａの製造方法は、障子紙５１、５２を貼る前に、複数のビスｓを組子内側から捩じ込んで桟へ第１組子２および第３組子４を固定しているので、強固に障子枠１に固定されるとともにビスｓが障子紙５１、５２で隠れ、完成後の見栄えが良い。
【産業上の利用可能性】
【００２９】
この断熱障子戸Ａは、三層の空気層６１〜６３を有するので断熱性に優れる。
【符号の説明】
【００３０】
Ａ  断熱障子戸
１  障子枠
２  第１組子
３  第２組子
４  第３組子
１０  中桟
１１  上桟
１２  下桟
１３  竪桟
１４  一方面側
１５  上区画
１６  下区画
１７  他方面側
２１、３１、４１  横子
２１、３２、４２  竪子
３０  格子体
５１、５２、５３、５４  障子紙
【図１】
0005202599.tif 000002
【図２】
0005202599.tif 000003
【図３】
0005202599.tif 000004
【図４】
0005202599.tif 000005
【図５】
0005202599.tif 000006
【図６】
0005202599.tif 000007